(57)【要約】      （修正有）【課題】シーリングの点検口装置を提供する。【解決手段】シーリングに固定したドア枠１０が設けられ、前記ドア枠内に可動扉２０が設けられ、前記可動扉の周囲にリング状フレームスタンド２１があり、前記フレームスタンド内にドアパネル２２があり、前記ドア枠及び前記フレームスタンドは、ぞれぞれアルミ押出型架体であり、前記ドアパネルは、前記ドア枠に相対した位置決めセット２５が設けられ、前記位置決めセットは、回転可能でかつ前記ドア枠に嵌められた回転ユニット２７があり、前記回転ユニットにより、前記可動扉が前記ドア枠内に有効に定位置し、可動扉とドア枠との安定性が有効に高められるものである。【選択図】図２
0003145738.tif 000002
【実用新案登録請求の範囲】
【請求項１】
ドア枠が設けられ、前記ドア枠内に収納孔があり、前記ドア枠は結合部が形成され、
可動扉は設けられ、前記可動扉の片側は、前記ドア枠に相対した側に設けられ、前記可動扉は前記ドア枠の収納孔に設けられており、前記可動扉の周囲にフレームスタンドが形成され、前記フレームスタンド内にドアパネルが設けられ、前記ドアパネルは他方側と異なり、定位置セットが設けられており、前記定位置セットは本体があり、前記本体は、連動する回転ユニットが設けられ、前記回転ユニットの片側は、前記ドア枠の枠バーに突いていることを特徴とするセーリングの点検口装置。
【請求項２】
前記ドア枠及び前記可動扉のフレームスタンドは、アルミ押出型枠バーに囲まれ、作られたものであることを特徴とする請求項１に記載のセーリングの点検口装置。
【請求項３】
前記フレームスタンドは、門形に設けられ、その内にドアパネルが設けられている  ことを特徴とする請求項１に記載のセーリングの点検口装置。
【請求項４】
前記ドアパネルは、少なくともその片側に防火效果のある防火板が設けられている  ことを特徴とする請求項１に記載のセーリングの点検口装置。
【請求項５】
前記ドアパネルにおいて、片側に防火效果のある防火板のドアパネルが設けられ、他方側は木板であることを特徴とする請求項１に記載のセーリングの点検口装置。
【請求項６】
前記定位置セットの本体は、錠になることを特徴とする請求項１に記載のセーリングの点検口装置。
【請求項７】
前記定位置セットの本体は、スイッチになることを特徴とする請求項１に記載のセーリングの点検口装置。
【請求項８】
前記ドア枠は、セーリングの木バーの内側に設けられ、前記ドア枠の結合部は、複数の固定ユニットで前記セーリングに固定していることを特徴とする請求項１に記載のセーリングの点検口装置。
【請求項９】
前記ドア枠は、セーリングの鋼架の内側に設けられ、前記ドア枠の結合部は、複数の固定ユニットで前記セーリングに固定していることを特徴とする請求項１に記載のセーリングの点検口装置。
【請求項１０】
前記固定ユニットはネジであることを特徴とする請求項８又は請求項９に記載のセーリングの点検口装置。
【考案の詳細な説明】
【技術分野】
【０００１】
本考案は、セーリングの技術分野に応用されるもので、特に安定性を兼ねたセーリング点検口装置である。
【背景技術】
【０００２】
一般の建築では、配管や内装をきれいにするため、都会で飾り板とされたセーリングが設置されている。例えば、木製セーリング又は収納式セーリングなど、セーリングの配管、電気、緊急電源、冷房空調、ファン、緊急用換気扇等の修理が便利に行われるため、セーリングの点検口装置を設けるのが必要になる。
【０００３】
従来のよく知られるセーリングの点検口は、定位置や固定装置がなく、可活動式板体により、セーリングを跨り、覆ったプリセットホール（即ち点検口）  であり、セーリングとフロアの天井との間にスペースがあり、空気の対流が容易に行われること、そして、可活動の覆い板とセーリングとの間に定位置がないため、空気の対流が強い場合、板体が容易に揺れたり、位置が移動したりして、まとまった形にならず、ペンキが剥がれ、騒音や毀損などが発生し、そして、前記板体をよく手で触ったりしたら、板体の表面に汚れが出て、見た目が悪くなるなどの欠点がある。
【０００４】
それに、一般の公衆場所で、可活動式板体が固定せず、悪党に狙われやすく、板体が開けられ、セーリングのところが非法行為に使う道具を置く場所になる。例えば、ピンホールカメラ、爆発物等危険物品、人々に危害に与えるものなど。
【考案の開示】
【考案が解決しようとする課題】
【０００５】
本考案の主要目的は、セーリングの点検口装置を提供することで、それにより、可動扉と前記ドア枠の結合性が有効に高められ、風などで騒音や損壊の発生が減少する。
【課題を解決するための手段】
【０００６】
前述の発明目的を達成させるため、技術手段として、本考案はセーリングの点検口装置を提供し、ドア枠が設けられ、前記ドア枠内に収納孔があり、  前記ドア枠は結合部が形成され、前記収納孔に可動扉が設けられ、前記可動扉の片側は、前記ドア枠に相対した側に設けられ、前記可動扉の周囲にフレームスタンドが形成され、前記フレームスタンド内にドアパネルが設けられ、前記ドアパネルは他方側と異なり、定位置セットが設けられており、前記定位置セットは本体があり、前記本体は連動する回転ユニットが設けられ、前記回転ユニッの片側は、前記ドア枠に定位置された枠バーに突くことになる。
そして、ドア枠及び前記可動扉のフレームスタンドは、防火可能なアルミ押出型枠バーに囲まれ、設けられた非燃焼材であり、防火の安全性を兼ねた性質を持っている。
【０００７】
本考案の長所は以下のようになる。
１。  結合性がよい
本考案では、可動扉の前記定位置セットにより、前記可動扉が前記ドア枠内に定位置し、可動扉が有効に定位置し、風などの要素で可動扉が揺れ、そこから生じる騒音や毀損などの問題が減少する。
２。  安全性がよい
本考案は、可動扉の定位置セットは、錠の構造に設けてもよいが、それにより、関係者以外の人が、可動扉を開ける事が避けられ、安全性が向上する。
３。  取り付けが簡単
本考案のドア枠と可動扉は、使用者のニーズに対応の寸法ができ、セーリングの鋼架又は木製材に組み立てられ、取り付けが簡単になる。
４。  清潔で便利
本考案の可動扉は、下開け式になり、開ける空間の制限がなく、鍵やマイナスねじ回しで可動扉が開けられる設計であり、手で支えたり、押し出ししたりする必要がないため、表面の清潔と見た目のよさを保つことができる。
【考案を実施するための最良の形態】
【０００８】
以下、添付図面を参照して本考案の実施の形態を詳細に説明する。
【実施例１】
【０００９】
図１〜図３に示すように、本考案のセーリングの点検口装置は、セーリング３０に固定されたドア枠１０が設けられ、前記ドア枠１０は複数のアルミ押出型枠バー１１に囲まれ作られたもので、前記ドア枠１０内に収納孔１２が形成し、前記ドア枠１０は結合部１４が形成され、前記結合部１４は複数の固定ユニット１３により、セーリング３０の適當な位置に固定されている。
【００１０】
可動扉２０が設けられ、前記可動扉２０の片側は、前記ドア枠１０の向こう側に設けられ、前記可動扉２０は、前記ドア枠１０の収納孔１２内に設けられ、前記可動扉２０の周囲にアルミ押出型バーで接続して作られたフレームスタンド２１があり、前記フレームスタンド２１は門形に設けられ、その内にドアパネル２２が設けられ、前記ドアパネル２２のセーリングと異なった側に防火效果のある防火板２３が設けられ、その他方側に木板２４があり、前記ドアパネル２２の設置側の他方側に定位置セット２５があり、前記定位置セット２５は本体２６があり、前記本体２６は、錠に設計し、鍵で開けたり、又はマイナス孔スイッチに設け、マイナスネジ回しだけで開けられたりすることができるもので、また、前記本体２６は、前記ドア枠１０に嵌められ、回転可能な回転ユニット２７につながり、前記回転ユニット２７の片側は、前記ドア枠１０の枠バー１１に突いている。上述の構造により、セーリングの点検口装置が設けられている。
【００１１】
図１、図４と図５は、本実施例のセーリングの点検口装置は、前記セーリング３０の木バー３１の内側に設けられており、前記木バー３１の内側に設けられた前記ドア枠１０、及び複数の固定ユニット１３により、前記ドア枠１０の結合部１４が前記木バー３１に固定されており、前記固定ユニット１３はネジでよいが、それにより、点検口装置が前記セーリング３０に取り付けられる。なお、点検などのため、前記可動扉２０を開けるとき、前記本体２６が前記回転ユニット２７と連動、回転して、前記回転ユニット２７が前記ドア枠１０を移動するための枠バー１１の所まで回転すると、前記可動扉２０が簡単に開けられ、点検担当者が前記セーリング３０内の配管、電気、緊急用電源、冷房空調、ファン、緊急用換気扇等の点検などを簡単に行うことができる。
【００１２】
図６は、本考案のもう一つの実施例図で、セーリング３２の鋼架３３だが、本考案の点検口装置は、前記鋼架３３の内側に設けてもよく、前記フレームスタンド２１が前記鋼架３３に固定されたら、上述の実施例と同じく、前記点検口装置を簡単で且つ素早く設けることができる。
【図面の簡単な説明】
【００１３】
【図１】本考案におけるセーリングの木バーに組み立てた底面立体外觀図。
【図２】本考案の部品鳥瞰立体分解図。
【図３】本考案の部分立体組合断面図。
【図４】本考案の部分動作イメージ。
【図５】本考案がセーリング全体の底面に組み立てたイメージ。
【図６】本考案のもう一つの実施例における部品の鳥瞰立体分解図。
【符号の説明】
【００１４】
１０  ドア枠
１１  枠バー
１２  収納孔
１３  固定ユニット
１４  結合部
２０  可動扉
２１  フレームスタンド
２２  ドアパネル
２３  防火板
２４  木板
２５  定位置セット
２６  本体
２７  回転ユニット
３０  セーリング
３１  木バー
３２  セーリング
３３  鋼架
【図１】
0003145738.tif 000003
【図２】
0003145738.tif 000004
【図３】
0003145738.tif 000005
【図４】
0003145738.tif 000006
【図５】
0003145738.tif 000007
【図６】
0003145738.tif 000008
【手続補正書】
【提出日】平成20年8月18日(2008.8.18)
【手続補正１】
【補正対象書類名】実用新案登録請求の範囲
【補正対象項目名】全文
【補正方法】変更
【補正の内容】
【実用新案登録請求の範囲】
【請求項１】
シーリングにドア枠が設けられ、前記ドア枠内に収納孔があり、
前記収納孔には可動扉が設けられ、前記ドア枠には可動扉との結合部が形成されており、
前記可動扉の周囲にはフレームスタンドが形成され、前記フレームスタンド内にはドアパネルが設けられ、前記ドアパネルには位置決めセットが設けられており、
前記位置決めセットの本体には、鍵と連動する回転ユニットが設けられ、前記回転ユニットの片側は、前記ドア枠の枠バーに係留されることを特徴とするシーリングの点検口装置。
【請求項２】
前記ドア枠及び前記可動扉のフレームスタンドは、アルミ押出型枠バーに囲まれるように作られたものであることを特徴とする請求項１に記載のシーリングの点検口装置。
【請求項３】
前記フレームスタンドは、門形に形成され、その内にドアパネルが設けられていることを特徴とする請求項１に記載のシーリングの点検口装置。
【請求項４】
前記ドアパネルは、少なくともその片側に防火效果のある防火板が設けられていることを特徴とする請求項１に記載のシーリングの点検口装置。
【請求項５】
前記ドアパネルにおいて、片側に防火效果のある防火板のドアパネルが設けられ、他方側は木板であることを特徴とする請求項１に記載のシーリングの点検口装置。
【請求項６】
前記位置決めセットの本体は、錠の構造を含むことを特徴とする請求項１に記載のシーリングの点検口装置。
【請求項７】
前記位置決めセットの本体は、マイナスネジ回しで開けられるマイナス孔の溝構造を含むことを特徴とする請求項１に記載のシーリングの点検口装置。
【請求項８】
前記ドア枠は、シーリングの木バーの内側に設けられ、前記ドア枠の結合部は、複数の固定ユニットで前記シーリングに固定していることを特徴とする請求項１に記載のシーリングの点検口装置。
【請求項９】
前記ドア枠は、シーリングの鋼架の内側に設けられ、前記ドア枠の結合部は、複数の固定ユニットで前記シーリングに固定していることを特徴とする請求項１に記載のシーリングの点検口装置。
【請求項１０】
前記固定ユニットはネジであることを特徴とする請求項８又は請求項９に記載のシーリングの点検口装置。
【手続補正２】
【補正対象書類名】明細書
【補正対象項目名】全文
【補正方法】変更
【補正の内容】
【考案の詳細な説明】
【技術分野】
【０００１】
本考案は、シーリングの技術分野に応用されるもので、特に安定性を兼ねたシーリング点検口装置である。
【背景技術】
【０００２】
一般の建築では、配管や内装をきれいにするため、都会で飾り板とされたシーリングが設置されている。例えば、木製シーリング又は収納式シーリングなど、シーリングの配管、電気、緊急電源、冷房空調、ファン、緊急用換気扇等の修理が便利に行われるため、シーリングの点検口装置を設けるのが必要になる。
【０００３】
従来のよく知られるシーリングの点検口は、位置決め装置や固定装置がなく、可動式板体により、シーリング点検口に跨り、覆ったプリセットホール（即ち点検口）であり、シーリングと部屋の天井との間に隙間があり、空気の対流が容易に行われること、そして、可動の覆い板とシーリングとの間に位置決め装置がないため、空気の対流が強い場合、板体が容易に揺れたり、位置が移動したりして、まとまった形にならず、ペンキが剥がれ、騒音や毀損などが発生し、そして、前記板体をよく手で触ったりしたら、板体の表面に汚れが出て、見た目が悪くなるなどの欠点がある。
【０００４】
それに、一般の公衆場所で、可動式板体が固定せず、悪党に狙われやすく、板体が開けられ、シーリングのところが不法行為に使う道具を置く場所になる。例えば、ピンホールカメラ、爆発物等危険物品、人々に危害に与えるものなど。
【考案の開示】
【考案が解決しようとする課題】
【０００５】
本考案の主要目的は、シーリングの点検口装置を提供することで、それにより、可動ドアとドア枠との結合性が有効に高められ、風などで騒音や損壊の発生が減少する。
【課題を解決するための手段】
【０００６】
前述の発明目的を達成させるため、技術手段として、本考案はシーリングの点検口装置を提供し、シーリングにドア枠が設けられ、前記ドア枠内に収納孔があり、前記ドア枠には可動扉との結合部が形成され、前記収納孔には可動扉が設けられ、前記可動扉の周囲にはフレームスタンドが形成され、前記フレームスタンド内にドアパネルが設けられ、前記ドアパネルには位置決めセットが設けられており、前記位置決めセットの本体には鍵と連動する回転ユニットが設けられ、前記回転ユニットの片側は、前記ドア枠の枠バーに係留される。そして、ドア枠及び前記可動扉のフレームスタンドは、防火可能なアルミ押出型枠バーに囲まれて設けられた不燃材であり、防火の安全性を兼ねた性質を持っている。
【０００７】
本考案の長所は以下のようになる。
１。  結合性がよい
本考案では、可動扉の前記位置決めセットにより、前記可動扉が前記ドア枠内に位置決めされ、可動扉が有効に固定され、風などの要素で可動扉が揺れて生じる騒音や毀損などの問題が減少する。
２。  安全性がよい
本考案は、可動扉の位置決めセットは、錠の構造にすることにより、関係者以外の人が、可動扉を開ける事が避けられ、安全性が向上する。
３。  取り付けが簡単
本考案のドア枠と可動扉は、使用者のニーズに対応した寸法にでき、シーリングの鋼架又は木製材に組み立てられ、取り付けが簡単になる。
４。  清潔で便利
本考案の可動扉は、下開け式になり、開ける空間の制限がなく、鍵やマイナスねじ回しで可動扉が開けられる設計であり、手で支えたり、押し出ししたりする必要がないため、表面の清潔と見た目のよさを保つことができる。
【考案を実施するための最良の形態】
【０００８】
以下、添付図面を参照して本考案の実施の形態を詳細に説明する。
【実施例１】
【０００９】
図１〜図３に示すように、本考案のシーリングの点検口装置には、シーリング３０に固定されたドア枠１０が設けられ、前記ドア枠１０は複数のアルミ押出型枠バー１１に囲まれ作られたもので、前記ドア枠１０内に収納孔１２が形成され、前記ドア枠１０には結合部１４が形成され、前記結合部１４は複数の固定ユニット１３により、シーリング３０の適当な位置に固定されている。
【００１０】
点検口には可動扉２０が設けられ、前記可動扉２０は、前記ドア枠１０の収納孔１２内に設けられ、前記可動扉２０の周囲にはアルミ押出型バーで接続して作られたフレームスタンド２１があり、前記フレームスタンド２１は門形に設けられ、その内にドアパネル２２が設けられ、前記ドアパネル２２のシーリングと異なった側に防火效果のある防火板２３が設けられ、その他方側に木板２４があり、前記ドアパネル２２の設置側の他方側に位置決めセット２５があり、前記位置決めセット２５には本体２６があり、前記本体２６は、錠構造に設計され、鍵で開けたり、又はマイナス孔の溝を設け、マイナスネジ回しだけで開けられたりすることができるもので、また、前記本体２６は、前記ドア枠１０に嵌められ、回転可能な回転ユニット２７につながり、前記回転ユニット２７の片側は、前記ドア枠１０の枠バー１１に係留される。上述の構造によるシーリングの点検口装置が設けられている。
【００１１】
図１、図４と図５では、本実施例のシーリングの点検口装置は、前記シーリング３０の木バー３１の内側に設けられており、前記木バー３１の内側に設けられた前記ドア枠１０、及び複数の固定ユニット１３により、前記ドア枠１０の結合部１４が前記木バー３１に固定されており、前記固定ユニット１３はネジでよいが、それにより、点検口装置が前記シーリング３０に取り付けられる。なお、点検などのため、前記可動扉２０を開けるとき、前記本体２６が前記回転ユニット２７と連動、回転して、前記回転ユニット２７が前記ドア枠１０を移動するために、枠バー１１から外れる所まで回転すると、前記可動扉２０が簡単に開けられ、点検担当者が前記シーリング３０内の配管、電気、緊急用電源、冷房空調、ファン、緊急用換気扇等の点検などを簡単に行うことができる。
【００１２】
図６は、本考案のもう一つの実施例図で、シーリング３２の鋼架３３だが、本考案の点検口装置は、前記鋼架３３の内側に設けてもよく、前記フレームスタンド２１が前記鋼架３３に固定されたら、上述の実施例と同じく、前記点検口装置を簡単で且つ素早く設けることができる。
【図面の簡単な説明】
【００１３】
【図１】本考案におけるシーリングの木バーに組み立てた底面立体外觀図。
【図２】本考案の部品鳥瞰立体分解図。
【図３】本考案の部分立体組合断面図。
【図４】本考案の部分動作イメージ。
【図５】本考案がシーリング全体の底面に組み立てたイメージ。
【図６】本考案のもう一つの実施例における部品の鳥瞰立体分解図。
【符号の説明】
【００１４】
１０  ドア枠
１１  枠バー
１２  収納孔
１３  固定ユニット
１４  結合部
２０  可動扉
２１  フレームスタンド
２２  ドアパネル
２３  防火板
２４  木板
２５  位置決めセット
２６  本体
２７  回転ユニット
３０  シーリング
３１  木バー
３２  シーリング
３３  鋼架